(57)【要約】【課題】ソケット本体の強度や成形性を確保しつつ、ランプの着脱作業性を向上させたランプソケット及びそれを用いた照明器具を提供する。【解決手段】ランプソケットＢは、ソケット本体４を備えており、ソケット本体４の前面側には口金部２を収納する収納凹部５ａが設けられている。この収納凹部５ａの側壁には、ランプＡの挿入方向に沿って挿通溝５ｃが設けられており、またランプＡの回転方向に沿って係合溝５ｂが挿通溝５ｃと連通して設けられている。これらの挿通溝５ｃ及び係合溝５ｂ内には、口金部２に設けた突出部２ａと係止する保持ばね８及び係止ばね７がそれぞれ配置されている。ソケット本体４の外周面において各挿通溝５ｃと対応する位置には、外側に向かって突出する突起部５ｅがそれぞれ一体に設けられており、ソケット本体４の前面側において挿通溝５ｃの外側位置には突起部５ｅの位置を表示するための蛍光部１７が設けられている。【選択図】図１
2008130387.tif 000002
【特許請求の範囲】
【請求項１】
ランプピンが底部に突設され互いに対向する両側面に突出部がそれぞれ形成された片口金ランプの口金部が挿入される収納凹部を前面側に有し、当該収納凹部の側壁に前記口金部を当該収納凹部に挿入させる際に前記突出部を挿通させる挿通溝及び当該挿通溝と連通し前記口金部を一方向に回転させた際に前記突出部が進入する係合溝が設けられたソケット本体を備え、当該ソケット本体の外周側面において前記挿通溝と対応する部位に外側に向かって突出する突起部を設けたことを特徴とするランプソケット。
【請求項２】
前記ソケット本体の前面側において前記挿通溝の外側の部位に、蛍光部又は前記ソケット本体と異色の識別部のうち何れか一方を設けたことを特徴とする請求項１記載のランプソケット。
【請求項３】
請求項１又は２の何れか１項に記載のランプソケットと、ランプと、当該ランプに電源を供給する電源手段とを備えたことを特徴とする照明器具。
【発明の詳細な説明】
【技術分野】
【０００１】
本発明は、ランプソケット及びそれを用いた照明器具に関するものである。
【背景技術】
【０００２】
従来より、図６に示すように片口金タイプのランプＡを装着するランプソケットＢがあった（例えば特許文献１参照）。このランプソケットＢは樹脂製のソケット本体４を備えており、ソケット本体４の前面側にはランプＡの口金部２を収納する収納凹部５ａが設けられている。この収納凹部５ａの幅方向に沿う両側壁には、口金部２の幅方向に沿う両側壁にそれぞれ設けた突出部２ａを挿通させるための挿通溝５ｃがそれぞれ設けられており、各挿通溝５ｃには口金部２を回転させた際に突出部２ａが進入する係合溝５ｂがそれぞれ連設されている。さらに、各挿通溝５ｃにおける前面側の端縁には、口金部２を収納凹部５ａに挿入する際の作業性を向上させるための面取り５ｄが施されており、また各係合溝５ｂ内には進入した突出部２ａを係止する係止ばね７がそれぞれ配置されている。
【０００３】
このランプソケットＢにランプＡを接続する際に、口金部２を前面側から収納凹部５ａに挿入すると、同時に突出部２ａが挿通溝５ｃに挿通される。そして、口金部２を収納凹部５ａの底面と略平行な面に沿って回転させると突出部２ａが係合溝５ｂに進入し、さらに突出部２ａが係止ばね７に係止されるとランプＡがランプソケットＢに装着される。
【特許文献１】特開２００１−３５７９５０号公報（第３頁−第４頁、及び、第１図−第４図）
【発明の開示】
【発明が解決しようとする課題】
【０００４】
上述の特許文献１に示したランプソケットＢでは、口金部２を収納凹部５ａに挿入する際の作業性を向上させるために各挿通溝５ｃにおける前面側の端縁に面取り５ｄが施されているが、この面取り５ｄの寸法を大きく設けると図７に示すようにソケット本体４の側壁に薄肉部５ｔが形成され、ソケット本体４の強度や成形性が低下する虞れがあり、面取り５ｄを大きく設けることができず作業性が悪かった。また、ランプソケットＢを備えた照明器具の形状によってはランプソケットＢの周辺が暗いものもあり、特にグレアを抑制するために器具本体の奥まった暗い位置にランプソケットＢが配置された照明器具では、収納凹部５ａに口金部２を挿入する際の位置合わせが困難であった。
【０００５】
本発明は上記問題点に鑑みて為されたものであり、その目的とするところは、ソケット本体の強度や成形性を確保しつつ、ランプの着脱作業性を向上させたランプソケット及びそれを用いた照明器具を提供することにある。
【課題を解決するための手段】
【０００６】
請求項１の発明は、ランプピンが底部に突設され互いに対向する両側面に突出部がそれぞれ形成された片口金ランプの口金部が挿入される収納凹部を前面側に有し、当該収納凹部の側壁に口金部を当該収納凹部に挿入させる際に突出部を挿通させる挿通溝及び当該挿通溝と連通し口金部を一方向に回転させた際に突出部が進入する係合溝が設けられたソケット本体を備え、当該ソケット本体の外周側面において挿通溝と対応する部位に外側に向かって突出する突起部を設けたことを特徴とする。
【０００７】
請求項２の発明は、ソケット本体の前面側において挿通溝の外側の部位に、蛍光部又はソケット本体と異色の識別部のうち何れか一方を設けたことを特徴とする。
【０００８】
請求項３の発明は、請求項１又は２の何れか１項に記載のランプソケットと、ランプと、当該ランプに電源を供給する電源手段とを備えたことを特徴とする。
【発明の効果】
【０００９】
請求項１の発明によれば、ソケット本体の外周側面において挿通溝と対応する部位に突起部を設けることによって、挿通溝の前面側端縁に接続作業を容易にするための面取りを形成した場合でも、面取りを形成した部位の肉厚を厚くすることができ、ソケット本体の強度や成形性を向上させることができるという効果がある。また、突起部を設けることによって挿通溝の位置が把握しやすくなり、突出部を挿通溝の位置に容易に合わせることができるので、口金部を収納凹部に挿入する際の作業性を向上させることができるという効果もある。さらに、突起部の位置を成形時における突き出しピンの位置とすれば、突起部はソケット本体の両端側に位置しているので、成形型からの突き出しをバランスよく行うことができるという効果もある。
【００１０】
請求項２の発明によれば、ソケット本体の前面側において挿通溝の外側の部位に蛍光部又はソケット本体と異色の識別部の何れか一方を設けることによって、突起部の位置を視覚的に容易に確認することができるので、突出部を挿通溝の位置に容易に合わせることができる。従って、口金部を収納凹部に挿入する際の作業性をさらに向上させることができるという効果がある。特に、蛍光部を設けた場合には、ランプソケットが器具本体の奥まった暗い位置に配置されている場合であっても、蛍光部の発光により突起部の位置を容易に視認することができるので、突出部を挿通溝の位置に容易に合わせることができるという効果もある。
【００１１】
請求項３の発明によれば、請求項１又は２の何れか１項に記載のランプソケットを用いることによって、口金部を収納凹部に挿入する際の作業性及び視認性を向上させることができるので、ランプソケットにランプを着脱する際の作業スペースを大きく設ける必要がなく、コンパクトな照明器具を提供することができるという効果がある。また、視認性を向上させることによりランプソケットを器具本体の奥まった位置に配置することができるので、グレアを抑制することができるという効果もある。
【発明を実施するための最良の形態】
【００１２】
本発明の実施形態を図１〜図５に基づいて説明する。本発明に係るランプソケットＢは、図５に示すように、例えば天井面（図示せず）に取付けられた照明器具Ｃに取付けられており、ランプＡとランプＡに電源を供給するインバータ１４とを電気的に接続した状態でランプＡを保持するために用いられる。
【００１３】
まず、ランプＡについて図１及び図５に基づいて説明する。ランプＡは、螺旋状に形成された発光管１を備えた片口金蛍光ランプであって、下端側には口金部２が設けられている。この口金部２の底部には、複数（図５（ａ）において４本）のランプピン３が突設されており、口金部２において互いに対向する一方の両側壁には、突出部２ａ、２ａがそれぞれ突設されている。
【００１４】
次にランプソケットＢについて図１〜図４に基づいて説明する。ランプソケットＢは、ランプＡの口金部２を収納するための収納凹部５ａを前面側に有するソケット本体４と、ソケット本体４の裏面側に配設され、ランプピン３と電源線（図示せず）とを電気的に接続するための導電部材９と、ランプＡの口金部２をソケット本体４の収納凹部５ａに挿入した際に突出部２ａと係止して仮保持する保持ばね８と、収納凹部５ａに挿入した口金部２を回転させた際に突出部２ａを係止させる係止ばね７とを備えている。
【００１５】
ソケット本体４は、絶縁材料により形成されており、前面側に収納凹部５ａを備えた横長の略箱形状の口金収納部５と、裏面側に導電部材９を収納するための収納凹部６ａを有する導電部材収納部６とを一体に形成して構成されている。
【００１６】
口金収納部５は、収納凹部５ａの底部にランプピン３が挿入される略楕円形状のランプピン挿入孔（図示せず）が４個設けられており、収納凹部５ａの幅方向に沿う両側壁には口金部２に設けた両突出部２ａ、２ａを挿通させるための挿通溝５ｃ、５ｃが形成されている。これらの挿通溝５ｃは、ランプＡの挿入方向（図１のＤの方向）に沿って、口金部２の回転中心に対して対角の位置にそれぞれ形成されている。また、各挿通溝５ｃの前面側端縁には面取り５ｄがそれぞれ施されており、口金収納部５の外周面において各挿通溝５ｃに対応する部位（挿通溝５ｃにおいて口金収納部５の幅方向に沿う側壁の裏側面）には、挿通溝５ｃの位置を表示するための断面円弧状の突起部５ｅがそれぞれ一体に形成されている。尚、挿通溝５ｃの前面側端縁に面取り５ｄを施すことによって、口金収納部５の外壁に薄肉部５ｔ（図２参照）が形成されるが、突起部５ｅを設けることで薄肉部５ｔの肉厚を厚くして補強することができ、ソケット本体４の強度や成形性を向上させることができる。また、口金収納部５の前面側において各挿通溝５ｃと対応する突起部５ｅとの間の部位には、蛍光塗料を塗布することによって略円形の蛍光部１７がそれぞれ設けられている。さらに、収納凹部５ａの幅方向に沿う両側壁には、各挿通溝５ｃと連通する係合溝５ｂが口金部２の回転方向（図１のＥの方向）に沿ってそれぞれ形成されており、連通する挿通溝５ｃと係合溝５ｂとの間にはリブ５ｎが裏面側に向かってそれぞれ突設されている。また、図４に示すように各係合溝５ｂの上面には、後述する係止ばね７を位置決めするための位置決め突起５ｋが突設されており、この位置決め突起５ｋを間にして両側には、係止ばね７の各係止片７ｅと係止する係止凹部５ｐがそれぞれ形成されている。さらに、係合溝５ｂの上面には、係止ばね７の膨出部７ｆを収納するための膨出部収納凹部５ｓが形成されており、口金収納部５の外周面において各係合溝５ｂと対応する部位には、各係合溝５ｂと連通する開口部５ｆ、５ｆがそれぞれ設けられている。また、口金収納部５の裏面側には、図３に示すように後述する保持ばね８を挿通して係止するための挿通係止孔５ｇが設けられており、挿通係止孔５ｇの途中位置には保持ばね８の抜け止め片８ｃと係止する段部（図示せず）が設けられている。
【００１７】
導電部材収納部６は、図３に示すように裏面側に４個の導電部材９を収納するための収納凹部６ａが形成されており、この収納凹部６ａの幅方向に沿う両端側において長手方向略中央には、後述する裏カバー１０に設けた一対の弾性係止片１０ａをそれぞれ挿通して係止するための挿通係止孔６ｂがそれぞれ設けられている。
【００１８】
ここで、裏カバー１０について図３に基づいて説明する。裏カバー１０は、導電部材収納部６の収納凹部６ａの開口を塞ぐように略矩形板状に形成されており、各挿通係止孔６ｂに対応する部位には、先端側に係止爪１０ｄを有する弾性係止片１０ａがそれぞれ突設されている。また、裏カバー１０の長手方向に沿う両端側には、電源線を挿入するための電源線挿入孔１０ｂがそれぞれ各２個ずつ設けられており、各電源線挿入孔１０ｂには電源線の接続を解除するための電源線解除孔１０ｃがそれぞれ連設されている。
【００１９】
次に、導電部材９について図３に基づいて説明する。各導電部材９は、導電材料で形成されており、ランプピン３を挟持するための略コ字状の挟持片９ａを有している。また、挟持片９ａの一端側には、電源線を接続するための速結端子９ｂが一体に設けられており、挟持片９ａと速結端子９ｂの差込口が互いに反対向きとなるように配置されている。尚、速結端子９ｂは従来周知の構成を有しているので、その説明は省略する。
【００２０】
さらに、係止ばね７について図３及び図４に基づいて説明する。係止ばね７は、係合溝５ｂに設けた位置決め突起５ｋと対応する部位に位置決め孔７ｄが設けられた位置決め固定片７ａを有しており、位置決め固定片７ａの両端側から係止凹部５ｐ、５ｐと係止する係止片７ｅ、７ｅが略ハ字状に折曲形成されている。また、位置決め固定片７ａの一端側には突出部２ａと弾性自在に弾接する可動ばね片７ｂが折り返して形成されており、位置決め固定片７ａから可動ばね片７ｂへの折り返し部位には略円弧状の膨出部７ｆが設けられている。さらに、可動ばね片７ｂの先端側には突出部２ａと係止する係止片７ｃが形成されている。
【００２１】
次に、保持ばね８について図３に基づいて説明する。保持ばね８は、略矩形板状の取付片８ｂを有しており、取付片８ｂの一端側を折り返して保持片８ａが形成されている。この保持片８ａは、先端側が略く字状に折り曲げられており、取付片８ｂの幅方向両端側には、取付片８ｂの一部を切り起こして保持片８ａと反対側に折り曲げられた抜け止め片８ｃ、８ｃが形成されている。
【００２２】
ここで、ランプソケットＢの組み立て方法について図１、図３及び図４に基づいて説明する。まず、導電部材９を取付ける方法について説明する。各導電部材９の挟持片９ａを前面側に向けた状態で導電部材収納部６の収納凹部６ａにそれぞれ挿入する。そして、裏面側から裏カバー１０の各弾性係止片１０ａをそれぞれ挿通係止孔６ｂに挿通すると、各弾性係止片１０ａの係止爪１０ｄが導電部材収納部６にそれぞれ係止して裏カバー１０が取付けられ、導電部材９の取付けが完了する。取付状態において、各導電部材９は収納凹部６ａの底部と裏カバー１０とで位置決めされており、挟持片９ａはランプピン挿入孔を臨んで配置され、速結端子９ｂは電源線挿入孔１０ｂを臨んで配置されている。
【００２３】
次に、係止ばね７を取付ける方法について説明する。各係止ばね７を外側から各開口部５ｆを通して係合溝５ｂに挿入する。そして、係合溝５ｂの位置決め突起５ｋに位置決め固定片７ａの位置決め孔７ｄを圧入嵌合し、両係止片７ｅ、７ｅを係止凹部５ｐ、５ｐにそれぞれ係止させると、係止ばね７の取付けが完了する。取付状態において、係止ばね７の可動ばね片７ｂは係合溝５ｂ内に配置されており、膨出部７ｆは膨出部収納凹部５ｓ内に収納されている。
【００２４】
さらに、保持ばね８を取付ける方法について説明する。各保持ばね８の取付片８ｂから保持片８ａへの折り返し部位を前面側に向けた状態で裏面側から各挿通係止孔５ｇにそれぞれ挿入する。そして、各抜け止め片８ｃを各挿通係止孔５ｇに設けた段部にそれぞれ係止させると、保持ばね８の保持片８ａが挿通溝５ｃ内に配置された状態で保持ばね８の取付けが完了する。取付状態において、保持ばね８は抜け止め片８ｃ、８ｃが段部と係止することによって、差込方向と逆方向への抜けが防止されている。
【００２５】
ここで、ランプＡをランプソケットＢに装着する際の動作を図１及び図４に基づいて説明する。まず、突起部５ｅの位置を目視で確認し、各突出部２ａを突起部５ｅの位置にそれぞれ合わせて口金部２を収納凹部５ａの底部に当接するまで挿入すると、突出部２ａは挿通溝５ｃ内に挿入されて、図４（ａ）に示す位置に配置される。この時、各ランプピン３は、対応するランプピン挿入孔内にそれぞれ挿入されて、導電部材９と非接触の状態で保持されている。尚、突出部２ａを突起部５ｅの位置に合わせる際に、暗い場合でも口金収納部５の前面側に設けた蛍光部１７を目印として突起部５ｅの位置を視認できるので、口金部２を収納凹部５ａに挿入する際の作業性がさらに向上する。次に、この状態から口金部２を回転させると、図４（ｂ）に示すように突出部２ａが係合溝５ｂ内に進入し、突出部２ａに押されて可動ばね片７ｂが弾性変形する。そして、さらに口金部２を回転させると、図４（ｃ）に示すように突出部２ａは下向きに弾性付勢された状態で係止片７ｃと係止し、口金部２が収納凹部５ａの底部に押付けられた状態で保持されて、ランプＡがランプソケットＢに装着される。この時、各ランプピン３は、口金部２の回転動作に従ってランプピン挿入孔内をそれぞれ移動し、対応する導電部材９にそれぞれ接触して電気的に接続される。
【００２６】
逆に、ランプソケットＢからランプＡを取り外す場合には、まず口金部２を取付方向と反対方向に回転させると、突出部２ａと係止片７ｃとの係止が外れる。この時、各ランプピン３は、導電部材９と不安定な状態で接続している。さらに、口金部２を回転させると、突出部２ａが係合溝５ｂに沿って挿通溝５ｃまで移動する。この時、ランプピン３と導電部材９との接続が解除される。そして、ランプＡを引き抜くと、突出部２ａが挿通溝５ｃに沿って前面側に移動し、ランプＡがランプソケットＢから取り外される。
【００２７】
このランプソケットＢでは、口金収納部５の外周面において挿通溝５ｃに対向する部位に突起部５ｅを設けており、この突起部５ｅの位置を目視で確認することによって挿通溝５ｃの位置が把握しやすくなり、突出部２ａを挿通溝５ｃの位置に容易に合わせることができるので、口金部２を収納凹部５ａに挿入する際の作業性を向上させることができる。また、口金収納部５の前面側において各挿通溝５ｃと対応する突起部５ｅとの間の部位に蛍光部１７を設けており、ランプソケットＢが器具本体の奥まった暗い位置に配置されている場合であっても、蛍光部１７からの発光により突起部５ｅの位置を確認することができるので、突出部２ａを挿通溝５ｃの位置に容易に合わせることができる。従って、口金部２を収納凹部５ａに挿入する際の作業性をさらに向上させることができる。尚、蛍光部１７の代わりに口金収納部５と異なる色の塗料を塗布するなどして識別部を設けてもよく、同様に口金部２を収納凹部５ａに挿入する際の作業性を向上させることができる。さらに、突起部５ｅの位置をソケット本体４の成形時における突き出しピンの位置とすれば、突起部５ｅはソケット本体４の両端側に位置しているので、成形型からの突き出しをバランスよく行うことができる。
【００２８】
尚、本実施形態では、蛍光塗料を塗布して蛍光部１７を設けたり、口金収納部５と異なる色の塗料を塗布して識別部を設けた場合について説明したが、蛍光部１７及び識別部は蛍光シールや色付きシールなどを貼り付けて設けてもよく、本実施形態に限定されない。また、本実施形態では、口金収納部５の前面側において各挿通溝５ｃと対応する突起部５ｅとの間の部位に、蛍光部１７又は識別部を設けた場合について説明したが、蛍光部１７又は識別部は突起部５ｅの前面側に設けてもよく、同様に口金部２を収納凹部５ａに挿入する際の作業性を向上させることができる。
【００２９】
ここで、上述のランプソケットＢを用いた照明器具Ｃの一実施形態を図５に基づいて説明する。照明器具Ｃは、下面が開口し、開口端縁に鍔部１２ａを有する反射板１２を備えており、鍔部１２ａの近傍には取付ばね１３が取付けられている。この反射板１２は天板１６に取付けられており、反射板１２内には、ランプソケットＢが配設されている。また、天板１６にはランプＡに電源を供給するためのインバータ１４と、外部から配線された電源線（図示せず）が接続される電源端子台１５とが取付けられており、インバータ１４からのリード線（図示せず）が電源線挿入孔１０ｂに挿入されて、インバータ１４とランプソケットＢとの間が電気的に接続されている。
【００３０】
この照明器具Ｃは、天井面に設けた埋込孔（図示せず）を介して天井裏に配設され、取付ばね１３と鍔部１２ａとの間で天井材を挟持した状態で取付けられる。そして、図５（ａ）のように突出部２ａを突起部５ｅの位置に合わせた状態で下面側からランプＡを反射板１２内に挿入し、ランプＡをランプソケットＢに装着すると、図５（ｂ）に示すように照明器具Ｃの取付けが完了する。尚、口金部２側に突起部５ｅと位置合わせをするための突起部２ｂを設けてもよく、突出部２ａを挿通溝５ｃの位置にさらに容易に合わせることができる。
【００３１】
この照明器具Ｃでは、本発明に係るランプソケットＢを用いることによって、口金部２を収納凹部５ａに挿入する際の作業性及び視認性を向上させることができるので、ランプソケットＢにランプＡを着脱する際の作業スペースを大きく設けなくてもよい。従って、反射板１２の内径（図５（ｂ）のφＤ１）を小さくすることができるので、コンパクトな照明器具Ｃを提供することができる。また、特に蛍光部１７を設けた場合には、蛍光部１７からの発光により視認性を向上させることができるので、ランプソケットＢを反射板１２の奥まった位置に配置することができ、グレアを抑制することもできる。
【００３２】
尚、本実施形態で説明した係止ばね７及び保持ばね８の形状は、本実施形態に限定されるものではなく、配置箇所等に応じて適宜設計してもよい。また、本実施形態では、螺旋状の発光管１を用いたランプＡで説明したが、用いるランプＡは本実施形態に限定されるものではなく、片口金タイプのランプであればよい。さらに、ソケット本体４の形状も本実施形態に限定されるものではなく、適宜設計してもよい。
【図面の簡単な説明】
【００３３】
【図１】本実施形態のランプソケットにランプを取付ける前の斜視図である。
【図２】同上の挿通溝近傍の拡大図である。
【図３】同上の分解斜視図である。
【図４】（ａ）〜（ｃ）は同上にランプを装着する際の突出部と係止ばねとの関係を説明する説明図である。
【図５】（ａ）は同上を用いた照明器具にランプを取付ける前の状態図である。（ｂ）は同上を用いた照明器具にランプを取付けた状態の状態図である。
【図６】従来例のランプソケットにランプを取付ける前の斜視図である。
【図７】同上の挿通溝近傍の拡大図である。
【符号の説明】
【００３４】
２    口金部
２ａ  突出部
３    ランプピン
４    ソケット本体
５ａ  収納凹部
５ｂ  係合溝
５ｃ  挿通溝
５ｅ  突起部
１７  蛍光部
Ａ    ランプ
Ｂ    ランプソケット
【図１】
2008130387.tif 000003
【図２】
2008130387.tif 000004
【図３】
2008130387.tif 000005
【図４】
2008130387.tif 000006
【図５】
2008130387.tif 000007
【図６】
2008130387.tif 000008
【図７】
2008130387.tif 000009